(57)【特許請求の範囲】
【請求項１】
利用者による評価対象画面の指定を受け付ける入力部と、
前記評価対象画面に表示されている情報に使用されている全ての使用色を含む配色情報を取得する配色情報取得部と、
前記配色情報を用いて、前記使用色それぞれに対して、視覚的注意の引きやすさを示す誘目度を算出する誘目度算出部と、
前記使用色が使用されている前記情報に応じた、前記使用色それぞれに対する相対的な重要度の高さを示す重要度情報を保持する重要度記憶部と、
前記使用色に対応付けられた前記重要度情報の順位を当該重要度情報の大きさに基づいて算出し、前記使用色に対応付けられた前記誘目度の順位を当該誘目度の大きさに基づいて算出し、前記使用色に対応付けられた当該重要度情報の順位と当該誘目度の順位とが一致するかどうかを示す判定結果を出力する配色妥当性判定部と、
前記判定結果を表示する出力部とを備えた
ことを特徴とする配色判定装置。
【請求項２】
配色情報は、評価対象画面に表示される情報の面積を含み、
誘目度算出部は、
前記配色情報を用いて、使用色それぞれに対して、前記評価対象画面上で使用されている他の色と比較したときの視覚的注意の引きやすさである異質性誘目度を算出し、当該異質性誘目度を含む誘目度を算出する
請求項１記載の配色判定装置。
【請求項３】
配色情報は、評価対象画面に表示される情報の面積を含み、
配色情報取得部は、
評価対象画面上の情報に使用されている全ての使用色の中で最も面積の大きい前記情報に使用されている前記使用色を背景色として特定し、
誘目度算出部は、
前記背景色を特定する情報を用いて、前記情報に使用されている使用色それぞれに対して、視覚的注意の引きやすさである誘目度を算出する
請求項１記載の配色判定装置。
【請求項４】
配色情報取得部は、
評価対象画面上の情報に使用されている全ての使用色の中で最も面積の大きい前記情報に使用されている前記使用色を背景色として特定し、
誘目度算出部は、
前記背景色を特定する情報を用いて、前記情報に使用されている使用色それぞれに対して、視覚的注意の引きやすさである誘目度を算出する
請求項２記載の配色判定装置。
【請求項５】
配色妥当性判定部は、
重要度情報の順位と誘目度の順位とが評価対象画面上で使用されている全ての使用色において一致した場合、前記誘目度の値と前記重要度の値とを用いて、前記使用色それぞれに対して、他の前記使用色の重要度と比べた場合の前記重要度の相対的な大きさと、他の前記使用色の前記誘目度と比べた場合の相対的な誘目度の大きさとの差異を判断するための指標である相対誘目度を算出し、前記差異が所定値以内かどうかを判定する
請求項１から請求項４のうちのいずれか１項に記載の配色判定装置。
【請求項６】
重要度の順位と誘目度の順位とが不一致となる使用色がある場合、前記重要度の順位と前記誘目度の順位とが一致するように前記使用色を変更した配色を示す改善案を作成する改善案作成部を備えた
請求項１から請求項５のうちのいずれか１項に記載の配色判定装置。
【請求項７】
改善案作成部は、
重要度の順位と誘目度の順位とが不一致である使用色がある場合、前記重要度の順位と前記誘目度の順位とが一致するように前記使用色を入れ替えた配色を示す改善案を作成する
請求項６に記載の配色判定装置。
【請求項８】
改善案作成部は、
重要度の順位と誘目度の順位とが不一致である使用色がある場合、前記重要度の順位と前記誘目度の順位とが一致するように、前記使用色の色相を変更せず彩度および明度のうち少なくとも一方を調整した配色を示す改善案を作成する
請求項６に記載の配色判定装置。
【請求項９】
利用者による評価対象画面の指定を受け付け、
前記評価対象画面に表示されている情報に使用されている全ての使用色を含む配色情報を取得し、
前記配色情報を用いて、前記使用色それぞれに対して、視覚的注意の引きやすさを示す誘目度を算出し、
前記使用色が使用されている前記情報に応じた、前記使用色それぞれに対する相対的な重要度の高さを示す重要度情報を保持し、
前記使用色に対応付けられた前記重要度情報の順位を当該重要度情報の大きさに基づいて算出し、前記使用色に対応付けられた前記誘目度の順位を当該誘目度の大きさに基づいて算出し、前記使用色に対応付けられた当該重要度情報の順位と当該誘目度の順位とが一致するかどうかを示す判定結果を出力し、
前記判定結果を表示する
ことを特徴とする配色判定方法。
【請求項１０】
コンピュータに、
利用者による評価対象画面の指定を受け付ける入力処理と、
前記評価対象画面に表示されている情報に使用されている全ての使用色を含む配色情報を取得する配色情報取得処理と、
前記配色情報を用いて、前記使用色それぞれに対して、視覚的注意の引きやすさを示す誘目度を算出する誘目度算出処理と、
前記使用色が使用されている前記情報に応じた、前記使用色それぞれに対する相対的な重要度の高さを示す重要度情報を保持する重要度記憶処理と、
前記使用色に対応付けられた前記重要度情報の順位を当該重要度情報の大きさに基づいて算出し、前記使用色に対応付けられた前記誘目度の順位を当該誘目度の大きさに基づいて算出し、前記使用色に対応付けられた当該重要度情報の順位と当該誘目度の順位とが一致するかどうかを示す判定結果を出力する配色妥当性判定処理と、
前記判定結果を表示する出力処理と
を実行させるための配色判定プログラム。
【発明の詳細な説明】
【技術分野】
【０００１】
本発明は、画面全体の配色のバランスの妥当性を判定する配色判定装置に関し、特に人間の視覚の特性を考慮した配色判定装置に関する。
【背景技術】
【０００２】
画面を設計する際、ユーザにとって重要な情報が目立つように設計することは、使いやすい画面を作るための基本的な手法である。情報の目立ちやすさを左右する要素としては、大きさ、レイアウトなどに加え、色が挙げられる。重要度の高い情報から順に目立つ色を施していく方法は、一般的によく使われる。ところが、同時に表示する情報の量や種類が膨大になり、これを表現する色の数が多くなってくると、重要度の高い情報から順に目立つ色を設定するだけでは、各情報は、設計者が狙った通りの目立ち方にならないことがある。【０００３】
例えば、赤は単体として目立ちやすい色だが、画面上の多くの要素に赤を用いていたり、マゼンダや橙などの近い系統の色が他の情報にも使用されていたりすると、画面全体を見たときの赤の目立ち方は低下してしまう。このように、画面全体としての色のバランスを考慮したうえで、配色を決定することが、設計者の狙い通りに各情報を目立たせるために重要となる。【０００４】
ところが、画面全体のバランスを考慮して配色を決定することや、画面全体のバランスを考慮した配色になっているかの評価を行うことは、色やデザインの知識を持たない設計者にとっては難しく、専門知識を持ったデザイナーでなければ困難である。【０００５】
非特許文献１に記載されている技術は、優先度が異なる複数の情報を画面に表示する際の、各情報の色や面積などの設定方法を評価する技術である。本技術は、画面上の各情報の視覚的注意の引きやすさと優先度を考慮したうえで、画面全体としての表示の適切さを「表示達成度」という値として評価することができる。【０００６】
非特許文献２に記載されている技術は、画面中に使用されている各色の目立ちやすさが、色の単体としての目立ちやすさである特徴誘目度と、他の色と比較したときの目立ちやすさである異質性誘目度を考え合わせた誘目度評価モデルで算出可能であるとしている。本技術を用いることにより、画面全体のバランスを考慮したうえでの各色の目立ちやすさを算出することができる。【０００７】
特許文献１に記載されている技術は、文書中の領域の面積や重要度に応じて、色やハッチングの濃さに差をつけ、領域の目立たせ方を制御する技術である。本技術は、色の単体としての目立ちやすさを決定する要素である彩度や濃淡を、領域の面積や重要度に応じて変化させることにより、簡便に色づけを行うことができる。
【先行技術文献】
【特許文献】
【０００８】
【特許文献１】特開平０９‐０８１７６１号公報
【非特許文献】
【０００９】
【非特許文献１】菊田裕次,井上創造,岩井原瑞穂,“重要度と誘目性を考慮した大量情報の提示手法及び表示達成度を用いた評価について”,信学技報,DE2000-6（2000-05）,pp41-48
【非特許文献２】田中昭二,井口征士,岩館祐一,中津良平“画像領域の物理的特徴に基づく誘目度評価モデル”,電子情報通信学会論文誌,2000年5月,Vol．J83-A,No．5,pp576-588
【発明の概要】
【発明が解決しようとする課題】
【００１０】
非特許文献１に記載されている技術は、画面全体での表示の適切さを「表示達成度」という値として評価する。しかし、画面上の個々の情報の表示の適切さは評価されない。そのため、どの情報の色を変更すれば評価値が改善されるのかが分からない、という課題がある。【００１１】
非特許文献２に記載されている技術は、画面中に使われている各色が画面全体の中でどの程度目立ちやすいかを評価することができる。しかし、各色がつけられた画面中の情報の意味や重要度は考慮しないため、各色の目立ち方が、画像中の情報の意味や重要度に則して適切か否か判定できない、という課題がある。【００１２】
特許文献１に記載の技術は、色の単体としての目立ちやすさを考慮し、文書中の領域の重要度に応じた色づけを行う。そのため、個々の領域の単体としての目立ちやすさは調整されているが、文書全体で見たときのバランスが考慮されていないことから、各領域が狙った目立ちやすさを実現できない可能性がある、という課題がある。また、色づけを行った結果の評価は行わないため、本当に適切な配色になっているかが保障されていないという課題がある。【００１３】
本発明の目的は、画面を構成する各情報がそれぞれの重要度に応じて、画面全体の中で適切なレベルで目立つ配色になっているかを、色や画面デザインの専門家ではない人でも評価することができる配色判定装置を提供することである。
【課題を解決するための手段】
【００１４】
本発明に係る配色判定装置は、利用者による評価対象画面の指定を受け付ける入力部と、前記評価対象画面に表示されている情報に使用されている全ての使用色を含む配色情報を取得する配色情報取得部と、前記配色情報を用いて、前記使用色それぞれに対して、視覚的注意の引きやすさを示す誘目度を算出する誘目度算出部と、前記使用色が使用されている前記情報に応じた、前記使用色それぞれに対する相対的な重要度の高さを示す重要度情報を保持する重要度記憶部と、前記使用色に対応付けられた前記重要度情報の順位を当該重要度情報の大きさに基づいて算出し、前記使用色に対応付けられた前記誘目度の順位を当該誘目度の大きさに基づいて算出し、前記使用色に対応付けられた当該重要度情報の順位と当該誘目度の順位とが一致するかどうかを示す判定結果を出力する配色妥当性判定部と、前記判定結果を表示する出力部とを備えたことを特徴とする。【００１５】
本発明に係る配色判定方法は、利用者による評価対象画面の指定を受け付け、前記評価対象画面に表示されている情報に使用されている全ての使用色を含む配色情報を取得し、前記配色情報を用いて、前記使用色それぞれに対して、視覚的注意の引きやすさを示す誘目度を算出し、前記使用色が使用されている前記情報に応じた、前記使用色それぞれに対する相対的な重要度の高さを示す重要度情報を保持し、前記使用色に対応付けられた前記重要度情報の順位を当該重要度情報の大きさに基づいて算出し、前記使用色に対応付けられた前記誘目度の順位を当該誘目度の大きさに基づいて算出し、前記使用色に対応付けられた当該重要度情報の順位と当該誘目度の順位とが一致するかどうかを示す判定結果を出力し、前記判定結果を表示することを特徴とする。【００１６】
本発明に係る配色判定プログラムは、コンピュータに、利用者による評価対象画面の指定を受け付ける入力処理と、前記評価対象画面に表示されている情報に使用されている全ての使用色を含む配色情報を取得する配色情報取得処理と、前記配色情報を用いて、前記使用色それぞれに対して、視覚的注意の引きやすさを示す誘目度を算出する誘目度算出処理と、前記使用色が使用されている前記情報に応じた、前記使用色それぞれに対する相対的な重要度の高さを示す重要度情報を保持する重要度記憶処理と、前記使用色に対応付けられた前記重要度情報の順位を当該重要度情報の大きさに基づいて算出し、前記使用色に対応付けられた前記誘目度の順位を当該誘目度の大きさに基づいて算出し、前記使用色に対応付けられた当該重要度情報の順位と当該誘目度の順位とが一致するかどうかを示す判定結果を出力する配色妥当性判定処理と、前記判定結果を表示する出力処理とを実行させることを特徴とする。
【発明の効果】
【００１７】
本発明によれば、画面を構成する各情報がそれぞれの重要度に応じて、画面全体の中で適切なレベルで目立つ配色になっているか否かを、色や画面デザインの専門家ではない人でも評価することができる。
【図面の簡単な説明】
【００１８】
【図１】本発明による配色判定装置の第１の実施形態の構成を示すブロック図である。
【図２】本発明による配色判定装置の第１の実施形態の動作を示すフローチャートである。
【図３】評価対象画面の例を表す説明図である。
【図４】配色情報取得部が出力する、色と面積を含むデータ構造の例を表す説明図である。
【図５】誘目度算出部が出力する、色の誘目度を含むデータ構造の例を表す説明図である。
【図６】配色妥当性判定部が作成する、各色の誘目度の順位を含むデータ構造の例を表す説明図である。
【図７】重要度記憶部が保持する、各色の重要度情報を含むデータ構造の例を表す説明図である。
【図８】配色妥当性判定部が作成する、各色の重要度の順位を含むデータ構造の例を表す説明図である。
【図９】配色妥当性判定部が出力する、判定結果を含むデータ構造の例を表す説明図である。
【図１０】出力部が表示する、判定結果を含む情報を示すグラフの例を表す説明図である。
【図１１】重要度記憶部が保持する、各色の重要度情報を含むデータ構造の別の例を表す説明図である。
【図１２】配色妥当性判定部が作成する、各色の重要度の順位を含むデータ構造の別の例を表す説明図である。
【図１３】配色妥当性判定部が出力する、判定結果を含むデータ構造の別の例を表す説明図である。
【図１４】本発明による配色判定装置の第２の実施形態の構成を示すブロック図である。
【図１５】第２の実施形態に係る配色判定装置における、配色判定処理および改善案作成処理の動作を示すフローチャートである。
【図１６】改善案作成部が出力する、改善内容を含むデータ構造の例を表す説明図である。
【図１７】改善案作成部が出力する、改善内容を含むデータ構造の別の例を表す説明図である。
【発明を実施するための形態】
【００１９】
実施形態１．
本発明による第１の実施形態（実施形態１）の配色判定装置を、図面を参照して詳細に説明する。図１は、本実施形態の配色判定装置の構成を示すブロック図である。図１に示されるように、本実施形態の配色判定装置１は、配色情報取得部１１と、誘目度算出部１２と、重要度記憶部１３と、配色妥当性判定部１４と、入力部１８と、出力部１９とを備える。
【００２０】
配色情報取得部１１は、配色判定装置１の利用者（以下、利用者という）が入力部１８を介して指定した評価対象画面から、評価対象画面上に使用されている全ての色とその面積を、配色情報として取得する。色の表記方法は、以下の説明においては、例えば「＃ＦＦ００００」といった１６進数を用いたＲＧＢ値による表記方法を用いるが、色が一意に決まるものであれば他の方法でもよい。また、面積を表す方法は、以下の説明においては、「５００ｐｘ」といったピクセルによる表記を用いるが、他の表記でもよい。また、配色情報取得部１１は、取得した色の中で最も面積の大きいものを背景色として特定する。なお、背景色の特定は、入力部１８を介して利用者が行っても構わない。
【００２１】
誘目度算出部１２は、配色情報取得部１１が出力する配色情報と、どの色が背景にあたるかの情報を用いて、背景色以外の各色の誘目度を計算する。誘目度とは、評価対象画面上の各色を見た人間の視覚的注意の引きやすさを表す値であり、画面全体として見たときの各色の目立ちやすさを評価する値である。具体的には、誘目度とは、色単体としての視覚的注意の引きやすさと、同画面上で使用されている他の色と比較したときの視覚的注意の引きやすさとを考え合わせた値である。
【００２２】
次に、誘目度の計算方法を説明する。誘目度算出部１２は、例えば、非特許文献２に記載されているように、各色をＨＬＳ表色系に変換し、色単体としての視覚的注意の引きやすさを示す値として、対象色の色相Ｈに起因する目立ちやすさＨｅ、および明度Ｌに起因する目立ちやすさＲを、以下の式（１）〜（３）のようにそれぞれ算出する。そして、Ｈｅと、Ｒと、対象色の彩度Ｓと足し合わせた合計値ＰＣは、例えば、以下の式（４）のように算出される。
【００２３】
・色相Ｈに起因する目立ちやすさ
Ｈｅ＝｜１−（Ｈ／π）｜・・・（１）
・明度Ｌに起因する目立ちやすさ
Ｒ＝Ｌｍ＋ｋ｜Ｌ−ＬＢ｜ｎ    Ｌ≧ＬＢ・・・（２）
Ｒ＝Ｌｍ−ｋ｜Ｌ−ＬＢ｜ｎ    Ｌ＜ＬＢ・・・（３）
なお、ＬＢは背景色のＨＬＳ表色系における明度の値である。
また、ｋ、ｍ、ｎは定数で、例えばｋ＝０．６５、ｍ＝０．４、ｎ＝０．２とする。
・色単体としての視覚的注意の引きやすさ
ＰＣ＝Ｈｅ＋Ｒ＋Ｓ・・・（４）
【００２４】
同画面上で使用されている他の色と比較したときの視覚的注意の引きやすさは、非特許文献２に記載されているように、例えば各色をＣＩＥＬ＊ａ＊ｂ＊表色系に変換し、各色の平均色からの色空間上の距離である色差ｄを用いた値ＨＣとして、下記の式（５）のように算出される。ここで、平均色の値は、例えば、Ｌ＊、ａ＊、ｂ＊の各値にその値の色が使用されている面積を乗算し、乗算した値を全て加算し、さらに全体の面積で割ることで計算される。平均色の計算において、面積を考慮することでＨＣの値をより精度よく計算できる。
【００２５】
・同画面上で使用されている他の色と比較したときの視覚的注意の引きやすさ
ＨＣ＝｜（ｄ−ｄｍ）／ｓｔｄ｜・・・（５）
なお、ｄｍはｄの平均値であり、ｓｔｄはｄの標準偏差である。
【００２６】
誘目度は、例えば色単体としての視覚的注意の引きやすさＰＣの値と、同画面上で使用されている他の色と比較したときの視覚的注意の引きやすさＨＣの値とを、そのまま足し合わせることで算出される。なお、誘目度算出部１２は、ＰＣの値とＨＣの値とにそれぞれ既定の係数をかけてから足し合わせるなどの方法により誘目度を算出してもよい。
【００２７】
重要度記憶部１３は、評価対象画面上の背景色以外の色と、その色に対して設定された重要度の高さの情報を保持している。重要度の高さの情報は、例えば「１００点」「８０点」「２０点」といった点数で表現される。重要度は、例えば、各色がつけられた情報の意味を考慮し、画面を閲覧するユーザにとっての情報の重要性という観点で設定されたものである。
【００２８】
配色妥当性判定部１４は、重要度記憶部１３が保持する各色の重要度の値と、誘目度算出部１２が出力する各色の誘目度の値とを比較し、配色妥当性を判定する。具体的には、配色妥当性判定部１４は、例えば各色の重要度の順位と誘目度の順位をそれぞれ算出し、同じ色どうしで順位を比較する。そして、配色妥当性判定部１４は、重要度の順位と誘目度の順位の値が一致すればその色は妥当な配色であると判定し、一致しなければその色は妥当な配色ではないと判定する。
【００２９】
また、すべての色について重要度の順位と誘目度の順位が一致した場合には、配色妥当性判定部１４は、それぞれの色の、当該色以外の他の使用色の重要度と比べた場合の重要度の相対的な大きさと、当該色以外の他の使用色の誘目度と比べた場合の相対的な誘目度の大きさが同程度になっているかを加味した相対誘目度を用いた判定を行っても構わない。例えば、配色妥当性判定部１４は、各色の誘目度の値を重要度の値で割った値である誘目度比を算出する。そして、配色妥当性判定部１４は、最も重要度の高い色の誘目度比と、各色の誘目度比を比較し、同程度であれば「可」、そうでなければ「否」と判定する。誘目度比が同程度であるかどうかは、例えば誘目度の最も高い色の誘目度比との差異が所定値以内に収まっているかにより判断される。また、配色妥当性判定部１４は、相対誘目度を用いた判定であれば、誘目度比以外の値を用いた判定をしてもよい。
【００３０】
配色妥当性判定部１４は、少なくとも各色の配色妥当性の判定結果を出力する。なお、各色の配色妥当性の判定結果に加え、各色に対応する重要度の値や、各色の誘目度の値を出力してもよい。また、配色妥当性判定部１４は、各色の配色妥当性の判定結果から、当該画面全体での判定結果を出力してもよい。当該画面全体での判定結果は、例えば各色の配色妥当性の判定結果がすべて「可」であれば、「可」とし、そうでなければ「否」とする。
【００３１】
入力部１８は、評価対象画面の指定等の利用者の操作を受け付ける。入力部１８は、例えばマウスやキーボード、タッチパネルなどの入力装置でもよい。
【００３２】
出力部１９は、配色妥当性判定部１４が出力した各色の判定結果を表示する。出力部１９は、例えばディスプレイなどの表示装置でもよい。
【００３３】
図２は、本実施形態の配色判定装置１における、配色判定処理の動作を表すフローチャートである。以下、配色判定処理の動作を、図２を参照して説明する。
【００３４】
始めに、利用者は、入力部１８を介して評価対象画面を指定する（ステップＳ２０１）。配色情報取得部１１は、評価対象画面から、評価対象画面上の全ての色と各色の面積とを配色情報として取得する（ステップＳ２０２）。さらに、配色情報取得部１１は、面積の一番大きい色を背景色として特定する（ステップＳ２０３）。次に、配色情報と、背景色を特定する情報を用いて、誘目度算出部１２が背景色を除く各色の誘目度を算出する（ステップＳ２０４）。
【００３５】
次に、配色妥当性判定部１４は、背景色を除く各色の誘目度の情報を用いて背景色を除く各色の誘目度の順位を算出する（ステップＳ２０５）。さらに配色妥当性判定部１４は、重要度記憶部１３が保持する、各色に対して設定された重要度の情報である重要度情報を用い、各色の重要度の順位を算出する（ステップＳ２０６）。そして、配色妥当性判定部１４は、変数ｉに１を代入する（ステップＳ２０７）。
【００３６】
さらに、配色妥当性判定部１４は、ｉ番目の色である色ｉについて、色ｉの重要度の順位と、色ｉの誘目度の順位が一致しているかどうかの判定を行う（ステップＳ２０８）。ステップＳ２０８の判定結果がＹＥＳだった場合、配色妥当性判定部１４は、色ｉを「可」と判定する（ステップＳ２０９）。ステップＳ２０８の判定結果がＮＯだった場合、配色妥当性判定部１４は、色ｉを「否」と判定する（ステップＳ２１０）。ステップＳ２０９およびステップＳ２１０における色ｉの判定が終わると、ｉの値が１増加される（ステップＳ２１１）。
【００３７】
次に、配色妥当性判定部１４が、背景を除くすべての色の判定を終えたかどうかの判定を行う（ステップＳ２１２）。ステップＳ２１２において、具体的には、配色妥当性判定部１４は、ｉが背景色を除く画面上の色の数より大きいかどうか判定する。ステップＳ２１２にてＮＯだった場合、ステップＳ２０８〜ステップＳ２１１の処理が再度繰り返される。ステップＳ２１２にてＹＥＳだった場合、配色妥当性判定部１４は、判定結果を含む情報を出力部１９に出力する（ステップＳ２１３）。また、出力部１９は、その判定結果を含む情報を表示する。ステップＳ２１３の処理が終わると、配色判定処理は終了する。
【００３８】
なお、図２を参照して行った配色判定装置の動作の説明においては、配色妥当性判定部１４が各色の妥当性を判定するにあたり、各色の重要度の順位と誘目度の順位を比較して一致するか否かを基準としている。ただし、重要度の順位と誘目度の順位が一致するか否かに加えて、それぞれの色の、当該色以外の他の使用色の重要度と比べた場合の重要度の相対的な大きさと、当該色以外の他の使用色の誘目度と比べた場合の相対的な誘目度の大きさが同程度になっているかを加味した相対誘目度（例えば、誘目度比）を用いた判定を行ってもよい。
【００３９】
次に、第１の実施形態の配色判定装置１の実施例を、図２のフローチャート、および図３〜図９の説明図を用いて説明する。なお、以下の説明に用いるＲＧＢ値は例であるため、図面における実際の色とは必ずしも一致しない。図３は、評価対象画面の例を表す説明図である。図３に示す地図３０上には、目的地３１と、最寄駅および線路３２と、道路３３と、背景３４とが、それぞれ異なる色で表示されている。よって、地図３０において使用されている色の種類は、４種類である。地図３０上の各情報に使用される色をＲＧＢ値で表現すると、例えば、目的地３１を表す色として＃ＦＦ００００が使用され、最寄駅および線路３２を表す色として＃００００ＦＦが使用され、道路３３を表す色として＃ＦＦ６６００が使用され、背景３４を表す色として＃ＦＦＦＦＦＦが使用されている。
【００４０】
利用者が入力部１８を介して地図３０を評価対象画面に指定すると（ステップＳ２０１）、配色情報取得部１１は、地図３０に使用されている全ての色とその面積を配色情報として取得する（ステップＳ２０２）。また、配色情報取得部１１は、最も面積の大きい色を背景色として特定する（ステップＳ２０３）。
【００４１】
図４は、配色情報取得部１１が出力する、色と面積を含むデータ構造の例を表す説明図である。図４に示すデータ項目４１に示すＩＤは、配色情報取得部１１が出力するデータの通し番号である。データ項目４２に示す色（ＲＧＢ）は、画面上の各色のＲＧＢ値である。データ項目４３に示す面積（ｐｘ）は、画面上の各色の面積のピクセル数である。データ項目４４に示す属性は、各色が背景色か否かを特定するための情報である。本実施例では＃ＦＦＦＦＦＦが４９００ｐｘで最も面積が大きいため、背景色として特定されている。データ項目４５に示す画面は、評価対象画面がどれかを特定する情報である。
【００４２】
次に、誘目度算出部１２は、配色情報取得部１１が出力した地図３０の配色情報と背景色を特定する情報を用いて、背景色以外の各色の誘目度の計算を行う（ステップＳ２０４）。誘目度は、色単体としての視覚的注意の引きやすさである特徴誘目度と、同画面上で使用されている他の色と比較したときの視覚的注意の引きやすさである異質性誘目度を足し合わせることで算出される。特徴誘目度は、対象の色の色相、彩度、明度を用いて算出される。異質性誘目度は、背景色も含めた各色の色と面積の情報を使い、各色の平均色からの色空間上の距離である色差を用いて算出される。
【００４３】
図５は、誘目度算出部１２が出力する、色の誘目度を含むデータ構造の例を表す説明図である。図５に示すように、データ項目５１には特徴誘目度が示され、データ項目５２には異質性誘目度が示されている。データ項目５３には、各色の特徴誘目度と異質性誘目度を足し合わせた値である誘目度が示されている。なお、本実施例における特徴誘目度、異質性誘目度および誘目度は、必ずしも前述の式（１）〜（５）を用いて計算された値ではない。
【００４４】
本実施例では、各色の特徴誘目度の値は、＃ＦＦ００００が３．０、＃００００ＦＦが２．７、＃ＦＦ６６００が２．３と計算される。各色の異質性誘目度の値は＃ＦＦ００００が１．７、＃００００ＦＦが２．１、＃ＦＦ６６００が０．６と計算される。この結果、誘目度は、＃ＦＦ００００が４．７、＃００００ＦＦが４．８、＃ＦＦ６６００が２．９と計算される。
【００４５】
本実施形態の配色判定装置１によれば、異質性誘目度を誘目度の一要素とすることで、色の単体としての目立ちやすさだけでなく、画面全体として見たときの色のバランスを考慮した各色の目立ちやすさを数値化することができる。
【００４６】
誘目度算出部１２が背景以外の各色の誘目度を出力すると、それをもとに配色妥当性判定部１４が誘目度の順位付けを行う（ステップＳ２０５）。図６は、配色妥当性判定部１４が作成する、各色の誘目度の順位を含むデータ構造の例を表す説明図である。各色の誘目度の値は、＃００００ＦＦが４．８で最も大きく、次いで＃ＦＦ００００が４．７であり２番目に大きく、＃ＦＦ６６００が２．９であり、最も小さい。よってデータ項目６１に示す誘目度の順位は、＃００００ＦＦが１、＃ＦＦ００００が２、＃ＦＦ６６００が３となる。
【００４７】
次に、配色妥当性判定部１４は、重要度記憶部１３が保持する各色に対して設定された重要度の情報である重要度情報を参照する。図７は、重要度記憶部１３が保持する、各色の重要度情報を含むデータ構造の例を表す説明図である。データ項目７１に示すＩＤは、重要度記憶部１３が保持するデータの通し番号である。データ項目７２に示す色（ＲＧＢ）は、各情報につけられた色のＲＧＢ値である。データ項目７３に示す重要度は、同じ行に示す色がつけられた情報の、地図を閲覧するユーザにとっての重要性を表し、重要性が高いほど値が大きくなっている。データ項目７４に示す情報の意味は、同じ行に示す色がつけられた情報の意味を示す。
【００４８】
データ項目７３に示す重要度の算出について具体的に説明する。地図を見るユーザにとって最も重要性の高い情報は目的地であり、次いでユーザの出発点となる可能性が高い最寄り駅の重要性が高く、道路の情報の重要性は最も低いと考えることができる。そのため、＃ＦＦ００００の色がつけられた情報は「目的地」であるので、重要度が最も高く、例えば「１００」と設定される。次いで＃００００ＦＦの色がつけられた情報「最寄駅と線路」の重要度が高く、例えば「８０」と設定される。＃ＦＦ６６００の色がつけられた情報「道路」の重要度が最も低く、例えば「２０」と設定される。
【００４９】
次に、配色妥当性判定部１４は、背景色を除く各色の重要度の順位づけを行う（ステップＳ２０６）。図８は、配色妥当性判定部１４が作成する、各色の重要度の順位を含むデータ構造の例を表す説明図である。データ項目８１に示す重要度の順位は、各色の重要度の順位である。重要度記憶部１３が保持する重要度情報では、前述のように、＃ＦＦ００００に対応する重要度が１００と最も高く、＃００００ＦＦに対応する重要度が８０で２番目に高く、＃ＦＦ６６００に対応する重要度が２０と最も低くなっている。よって、重要度の順位は＃ＦＦ００００が１、＃００００ＦＦが２、＃ＦＦ６６００が３となる。
【００５０】
次に、配色妥当性判定部１４は、各色の重要度の順位と、各色の誘目度の順位とを比較し、一致する色には「可」、そうでない色には「否」との判定を行う（ステップＳ２０７〜ステップ２１２）。図９は、配色妥当性判定部１４が出力する、判定結果を含むデータ構造の例を表す説明図である。データ項目９１に示す判定結果は、各色の重要度の順位と、各色の誘目度の順位とを比較した結果である。
【００５１】
＃ＦＦ００００は、誘目度の順位は２だったが、重要度の順位は１であり、両者の順位が一致しないため、データ項目９１に示す判定結果は「否」となる。＃００００ＦＦは、誘目度の順位は１だったが、重要度の順位は２であり、両者の順位が一致しないため、データ項目９１に示す判定結果は「否」となる。＃ＦＦ６６００は、誘目度の順位も重要度の順位も共に３であり、両者の順位が一致するため、データ項目９１に示す判定結果は「可」となる。
【００５２】
配色妥当性判定部１４は、出力部１９に判定結果を含む情報を出力する（ステップＳ２１３）。また、出力部１９は、その判定結果を含む情報を表示する。図１０は、出力部１９が表示する、判定結果を含む情報を示すグラフの例を表す説明図である。出力部１９における表示の方法は、例えば図９に示すような表であってもよいし、図１０に示すようなグラフで表示してもよい。出力部１９が表示した判定結果等を見た利用者は、判定対象となる画面において、情報の重要度の順位に応じて目立つような配色がなされているかどうかを知ることができる。
【００５３】
このように、本実施形態の配色判定装置１は、画面上の各色の誘目度の順位と、重要度の順位を比較し、一致している色には「可」との判定を、一致していない色には「否」との判定を行う。各色の誘目度は、単体としての視覚的注意の引きやすさと、同画面上で使用されている他の色と比較したときの視覚的注意の引きやすさの両方が考慮された値である。そのため、利用者は、画面上の情報が重要度に応じて目立つような配色になっているかどうかを、画面全体として見たときの色のバランスを考慮したうえで評価することができる。また、判定結果は色それぞれについて出力されるため、利用者は画面上に使われている色のうち、どの色が適切でないかを評価することができる。また、上記の評価は、利用者が色や画面デザインの専門家ではない人でも行うことができる。
【００５４】
次に、第１の実施形態の配色判定装置１の他の実施例を、図２のフローチャート、図４〜図６および図１１〜図１３を用いて説明する。本実施例において、図２のステップＳ２０１〜ステップＳ２０５までの動作および図４〜図６に示す出力結果は、前述の実施例と同様であるため、説明を省略する。
【００５５】
図１１は、重要度記憶部１３が保持する、各色の重要度情報を含むデータ構造の別の例を表す説明図である。配色妥当性判定部１４は、図１１に示す重要度記憶部１３が保持する重要度情報を参照する。図１１のデータ項目１１１に示すＩＤは、重要度記憶部１３が保持するデータの通し番号である。データ項目１１２に示す色（ＲＧＢ）は、各情報につけられた色のＲＧＢ値である。データ項目１１３に示す重要度は、同じ行の色がつけられた情報の、地図を閲覧するユーザにとっての重要性を表し、重要性が高いほど値が大きい。データ項目１１４に示す情報の意味は、同じ行に示す色がつけられた情報の意味を示す。データ項目１１５に示す画面は、評価対象画面がどれかを特定する情報である。
【００５６】
本実施例では、地図３０を見るユーザにとって最も重要性の高い情報は、ユーザの出発点となる可能性が高い最寄り駅であるとされている。そして、目的地の情報の重要性が次に高く、道路の情報の重要性は最も低い、との考えに基づいて重要度が設定されている。そのため、＃００００ＦＦの色がつけられた情報「最寄駅と線路」の重要度が「１００」と最も高く設定され、次いで＃ＦＦ００００の色がつけられた情報「目的地」は、重要度が「８０」と設定され、＃ＦＦ６６００の色がつけられた情報「道路」の重要度は最も低く「２０」と設定される。
【００５７】
配色妥当性判定部１４は、重要度記憶部１３が保持する重要度情報を参照し各色の重要度の順位づけを行う（ステップＳ２０６）。図１２は、配色妥当性判定部１４が作成する、各色の重要度の順位を含むデータ構造の別の例を表す説明図である。データ項目１２１の重要度の順位は、各色の重要度の順位である。重要度記憶部１３が保持する重要度情報では、＃００００ＦＦに対応する重要度が１００と最も高く、次いで＃ＦＦ００００に対応する重要度が８０であり、＃ＦＦ６６００に対応する重要度が２０と最も低くなっていたため、重要度の順位は＃００００ＦＦが１、＃ＦＦ００００が２、＃ＦＦ６６００が３となっている。
【００５８】
次に配色妥当性判定部１４は、各色の重要度の順位と、各色の誘目度の順位とを比較する（ステップＳ２０７〜ステップ２１２）。本実施例では、すべての色について重要度の順位と誘目度の順位が一致している。すべての色について重要度の順位と誘目度の順位が一致している場合、配色妥当性判定部１４は、各色について、誘目度の値を重要度の値で割った値である誘目度比を算出してもよい。その場合、配色妥当性判定部１４は、各色の誘目度比が、最も重要度の高い色の誘目度比と同程度であるかどうかを、配色の妥当性の判定基準とし、判定結果を出力する。配色妥当性判定部１４は、例えば、誘目度の最も高い色の誘目度比との差異が所定値以内に収まっているかを判定し、差異が所定値以内で有れば判定結果を「可」とし、所定値以内でなければ、判定結果を「否」とする。配色妥当性判定部１４は、その判定結果を出力部１９に出力する（ステップＳ２１３）。
【００５９】
また、配色の妥当性の判定結果の表現方法は、例えば、最も重要度の高い色の誘目度比が１００となるように、各色の誘目度比を換算した評価値として表現してもよい。この場合、評価値が１００に近いほど配色の妥当性が高いと判定されている、と解釈することができる。評価値が１００より大きい場合は、重要度の値の大きさと比べた誘目度の大きさが大きい色であるといえ、逆に評価値の低い色は、重要度の値の大きさと比べた誘目度の大きさが小さい色であるといえる。
【００６０】
図１３は、配色妥当性判定部１４が出力する、判定結果を含むデータ構造の別の例を表す説明図である。データ項目１３１に示す順位の一致は、重要度の順位と誘目度の順位が一致するか否を示す。データ項目１３２に示す誘目度比は、各色の誘目度比の値を示す。データ項目１３３の判定結果は、誘目度比に基づいて行われた配色妥当性の最終判定結果を示す。
【００６１】
本実施例では、配色妥当性判定部１４は、各色の誘目度比が、最も重要度の高い色の誘目度比の±２５％以内にあれば妥当な配色である、との判定を行うこととする。最も重要度の高い＃００００ＦＦの誘目度比は０．０４８であるため、誘目度比が０．０４８±２５％である０．０３６以上０．０６０以内の色であれば「可」、そうでなければ「否」と判定される。各色の判定結果は、＃ＦＦ００００の誘目度比は０．０５９であるため「可」、＃００００ＦＦの誘目度比は０．０４８であるため「可」、＃ＦＦ６６００の誘目度比は０．１４５であるため「否」となる。
【００６２】
誘目度比の高い色は、重要度の値の大きさと比べた誘目度の大きさが大きく設定されている色であるといえる。逆に、誘目度比の低い色は、重要度の値の大きさに比べた誘目度の大きさが小さく設定されている色であるといえる。そのため、本実施形態の配色判定装置１は、上記のような誘目度比による判定を行うことで、各色の目立ちやすさの程度が、重要度の順位と一致しているかどうかだけでなく、重要度の大きさの程度ともある程度一致しているかどうかを判定することができる。
【００６３】
次に、配色妥当性判定部１４は、各色の判定結果を出力部１９に出力する。そして、出力部１９はその判定結果を表示する。なお、出力部１９による表示の方法は、例えば図１３に示すような表であってもよいし、グラフ等を用いて表示してもよい。
【００６４】
なお、本実施形態の配色判定装置１は、面積が最も大きい色または利用者が指定した色である背景色を用いて他の使用色の誘目度を算出するかわりに、同背景色の妥当性については判定の対象となっていない。ただし、本実施形態の配色判定装置１は、例えば同背景色の彩度が規定値を超えて目に優しくない色を用いていないか等、背景色についても妥当性を判定し、あわせて結果を提示してもよい。
【００６５】
以上のように、本実施形態の配色判定装置１は、配色妥当性判定部１４が、画面全体として見たときの各色の目立ちやすさと各色に対応して設定された重要度の大きさを比較することで、画面上に使用されている各色が、重要度に応じて目立つような配色になっているかどうかを判定する。そのため、利用者が色やデザインの専門知識を持たなくても、画面上の情報が重要度に応じて目立つような配色になっているかどうかを、画面全体として見たときの色のバランスを考慮したうえで評価することができる。また、配色妥当性の判定結果は画面上に使われている色それぞれについて表示されるため、利用者は画面上に使われている色のうち、どの色が適切でないかを知ることができる。
【００６６】
また、本実施形態の配色判定装置１は、画面上の各色の誘目度の順位と重要度の順位を比較し、すべての色について一致している場合には、誘目度比を用いた判定をさらに行う。これにより、利用者は、画面上の情報が重要度に応じて目立つような配色になっているかどうかを、各色の目立ちやすさが、重要度の順位と一致しているかどうかだけでなく、重要度の大きさの程度ともある程度一致しているかどうかを判定することができる。
【００６７】
実施形態２．
本発明による第２の実施形態（実施形態２）の配色判定装置を、図面を参照して詳細に説明する。図１４は、本発明による配色判定装置２の第２の実施形態の構成を示すブロック図である。以下、図１に示す第１の実施形態に係る配色判定装置１と同様の構成要素については、図１と同一の符号を付し、説明を省略する。
【００６８】
図１４に示すように、本実施形態の配色判定装置２は、改善案作成部１５を備えている点が、図１に示す第１の実施形態の配色判定装置１と異なっている。配色判定装置２のその他の構成要素については、第１の実施形態に係る配色判定装置１と同様である。
【００６９】
改善案作成部１５は、配色妥当性判定部１４が出力した各色の配色妥当性の判定結果と、各色の重要度の値と誘目度の値を参照し、「否」判定の色に変更を加えた改善案の作成を行う。具体的には、例えば「否」判定の色どうしを入れ替えた改善案を作成する。「否」判定の色どうしの入れ替えは、重要度の順位と誘目度の順位が一致するように行われる。改善案の作成が完了すると、改善案作成部１５は、改善を施す前の配色と改善案の配色を対応させたデータを出力部１９へ出力する。色を表す方法は、色が一意に決まる表記方法であればよく、例えば「＃ＦＦ００００」といった１６進数を用いたＲＧＢ値が用いられる。
【００７０】
図１５は、本発明による第２の実施形態の配色判定装置２における、配色判定処理および改善案作成処理の動作を表すフローチャートである。以下、配色判定処理および改善案作成処理の動作を、図１５を参照して説明する。なお、図２に示す第１の実施形態と同様の動作には、図２と同一の符号を付し、説明を省略する。
【００７１】
第２の実施形態における配色判定処理は、ステップＳ２１３において配色妥当性判定部１４が判定結果の出力を行った後、改善案作成部１５が色を変更した改善案の作成を行い（ステップＳ２１４）、出力部１９へ出力する（ステップＳ２１５）。ステップＳ２１４およびステップＳ２１５以外の処理は、第１の実施形態と同様である。
【００７２】
次に、第２の実施形態の配色判定装置２の実施例を、図１５のフローチャートおよび図１６を用いて説明する。配色妥当性判定部１４が、評価対象画面である地図３０の配色妥当性の判定結果として、図９に示す表を出力したものとする。改善案作成部１５は、配色妥当性判定部１４が出力した判定結果を用いて、配色の改善案の作成を行う（ステップＳ２１４）。具体的には、改善案作成部１５は、配色妥当性判定部１４により「否」と判定をされた色を変更した改善案を作成する。本実施例では、＃ＦＦ００００と＃００００ＦＦが「否」と判定されているため、改善案作成部１５は、この２色を変更することで、誘目度の順位と重要度の順位が一致するように調整する。＃ＦＦ００００は、重要度の順位が１であるのに対して誘目度の順位が２であり、＃００００ＦＦは重要度の順位が２であるのに対して誘目度の順位が１であるため、この２色の割り当てを入れ替えることで、重要度の順位と誘目度の順位が一致する。
【００７３】
図１６は、改善案作成部１５が出力する、改善内容を含むデータ構造の例を表す説明図である。データ項目１６１に示す従来案の色（ＲＧＢ）は、評価対象画面に使用されていた色を示す。データ項目１６２に示す改善案の色（ＲＧＢ）は、改善案作成部１５が作成した改善案が使用する色を示す。本実施例では、従来案で＃ＦＦ００００だった部分は＃００００ＦＦに、従来案で＃００００ＦＦだった部分は＃ＦＦ００００に変更する配色の改善案を作成している。なお、従来案で＃ＦＦ６６００だった色は、配色妥当性判定部１４が出力した判定結果が「可」であったため、変更が施されていない。データ項目１６３に示す画面は、評価対象画面を特定する情報である、
【００７４】
改善案作成部１５は、作成した改善案の内容を出力部１９に出力する（ステップＳ２１５）。また、出力部１９は、出力された内容を表示する。なお、出力部１９が表示する内容は、図１６に示すような表であってもよいし、評価対象画面の配色を改善案のとおりに変更した画面を表示してもよい。
【００７５】
このように、本実施形態の配色判定装置２は、評価対象画面の配色の妥当性の判定を行うだけでなく、評価対象画面の各色をどのように変更すれば、誘目度の順位と重要度の順位が一致するような配色にできるかを示す改善案をシステムの利用者に提示する。このことにより、システムの利用者は、配色の評価だけでなく、改善案の作成も行うことができる。
【００７６】
次に、第２の実施形態の配色判定装置２の別の実施例を、図１５のフローチャートおよび図１７を用いて説明する。図１７は、改善案作成部１５が出力する、改善内容を含むデータ構造の別の例を表す説明図である。
【００７７】
前述の実施例と同様に、配色妥当性判定部１４は、評価対象画面である地図３０の配色妥当性の判定結果として、図９に示す表を出力したものとする。改善案作成部１５は、配色妥当性判定部１４が出力した評価結果を用いて、配色の改善案の作成を行う（ステップＳ２１４）。具体的には、改善案作成部１５は、配色妥当性判定部１４により「否」と判定をされた色を変更した改善案を作成する。
【００７８】
本実施例では、評価対象画面である地図３０上の情報である「目的地」、「最寄り駅と線路」および「道路」は、他の地図との表示の一貫性を保つために、大きな色味の変更が許されなかったとする。この場合、前述の実施例における改善案の作成方針のように、「否」判定の色どうしを入れ替えた改善案を作成するのは不適切であるといえる。そのため、色相を保つことで大体の色味を保ち、彩度および明度のうちの少なくとも一方を変更することで誘目度の調整を行う。
【００７９】
本実施例における誘目度の調整において、改善案作成部１５は、例えば彩度と明度のいずれか一方を、規定の値だけ変更する。本例では＃ＦＦ００００および＃００００ＦＦが「否」と判定されているため、改善案作成部１５はこの２色の彩度または明度を規定の値だけ変更することで、誘目度の順位と重要度の順位が一致するように調整する。改善案作成部１５は、＃ＦＦ００００は重要度の順位が１であるのに対して誘目度の順位が２であるため、誘目度が上がるように調整を行う。改善案作成部１５は、＃００００ＦＦは重要度の順位が２であるのに対して誘目度の順位が１であるため、誘目度が下がるように調整を行う。
【００８０】
図１７は、改善案作成部１５が出力する、改善内容を含むデータ構造の別の例を表す説明図である。本実施例では、改善案作成部１５は、従来案で＃ＦＦ００００だった部分は明度を５増加させて＃ＦＦ１９１９に、従来案で＃００００ＦＦだった部分は彩度を５減少させて＃０７０７Ｆ９に変更することで、改善案を作成している。なお、従来案で＃ＦＦ６６００だった色は配色妥当性の判定結果が「可」であったため、変更は施されない。改善案作成部１５は、出力した改善案の内容を、出力部１９に出力する（ステップＳ２１５）。また、出力部１９は、改善案を表示する。なお、出力部１９による表示の方法は、図１３に示すような表であってもよいし、評価対象画面の配色を改善案のとおりに変更した画面を表示してもよい。
【００８１】
また、本実施形態の配色判定装置２は、改善案作成部１５により作成された改善案に基づいて配色が施された画面を、再び評価対象画面として配色情報取得部１１が入力し、誘目度算出部１２による誘目度算出と配色妥当性判定部１４による配色妥当性の判定を行ってもよい。これにより、配色判定装置２は、改善案における配色が妥当なものであるかどうかの検証をすることができる。この場合、配色判定装置２は、改善案に使用されているすべての色が妥当であると判定されるまで、改善案作成部１５による改善案の作成と配色妥当性判定部１４による判定を繰り返し行ってもよい。
【００８２】
以上のように、本実施形態の配色判定装置２は、画面上の情報が重要度に応じて目立つような配色になっているかどうかを、画面全体として見たときの色のバランスを考慮したうえで評価するだけでなく、評価結果に基づいて配色を変更した改善案を出力する。これにより、利用者は、色やデザインの知識が無くても、画面上の情報の重要度に応じて適切な目立ち方をしていない色に変更が施された改善案を作成することができる。
【００８３】
また、本実施形態の配色判定装置２は、画面全体として見たときに重要度に応じて適切な目立ち方をしていない色について、例えば彩度と明度を変更することで誘目度を調整した改善案を作成する。本実施形態の配色判定装置２は、色相を保つことで、色味を保ったまま誘目度の調整を行うことが可能となるため、警告情報には赤系の色を用いる等、色味に意味を持たせているような画面にも適用することができる。
【００８４】
また、本実施形態の配色判定装置２は、改善案に基づいて配色が施された画面を、再び評価対象画面として配色情報取得部１１が入力した場合、作成した改善案の妥当性の検証も行うことができる。そのため利用者は、画面上の情報が重要度に応じて目立つような配色になっている配色案をより精度良く作成することができる。
【００８５】
また、上記の実施形態では、以下の（１）〜（７）に示すような配色判定装置も開示されている。
【００８６】
（１）利用者による評価対象画面の指定を受け付ける入力部（例えば、入力部１８）と、評価対象画面に表示されている情報に使用されている全ての使用色を含む配色情報を取得する配色情報取得部（例えば、配色情報取得部１１）と、配色情報を用いて、使用色それぞれに対して、視覚的注意の引きやすさを示す誘目度を算出する誘目度算出部（例えば、誘目度算出部１２）と、使用色が使用されている情報に応じた、使用色それぞれに対する相対的な重要度の高さを示す重要度情報を保持する重要度記憶部（例えば、重要度記憶部１３）と、使用色に対応付けられた重要度情報の順位を当該重要度情報の大きさに基づいて算出し、使用色に対応付けられた誘目度の順位を当該誘目度の大きさに基づいて算出し、使用色に対応付けられた当該重要度情報の順位と当該誘目度の順位とが一致するかどうかを示す判定結果を出力する配色妥当性判定部（例えば、配色妥当性判定部１４）と、判定結果を表示する出力部（出力部１９）とを備えた配色判定装置（例えば、配色判定装置１または配色判定装置２）。
【００８７】
（２）配色判定装置は、配色情報が、評価対象画面に表示される情報の面積を含み、誘目度算出部は、配色情報を用いて、使用色それぞれに対して、評価対象画面上で使用されている他の色と比較したときの視覚的注意の引きやすさである異質性誘目度を算出し、当該異質性誘目度を含む誘目度を算出するように構成されていてもよい。このような配色判定装置によれば、面積を用いて異質性誘目度を算出するため、精度よく異質性誘目度を算出することができる。また、異質性誘目度を含む誘目度を算出するので、他の色と比較したときの視覚的注意の引きやすさを考慮した誘目度を算出することができる。
【００８８】
（３）配色判定装置は、配色情報が、評価対象画面に表示される情報の面積を含み、配色情報取得部が、評価対象画面上の情報に使用されている全ての使用色の中で最も面積の大きい情報に使用されている使用色を背景色として特定し、誘目度算出部が、背景色を特定する情報を用いて、情報に使用されている使用色それぞれに対して、視覚的注意の引きやすさである誘目度を算出するように構成されていてもよい。このような配色判定装置によれば、背景色を考慮して誘目度を算出することで、より精度良く誘目度を算出することができる。
【００８９】
（４）配色判定装置は、配色妥当性判定部が、重要度情報の順位と誘目度の順位とが評価対象画面上で使用されている全ての使用色において一致した場合、誘目度の値と重要度の値とを用いて、使用色それぞれに対して、他の使用色の重要度と比べた場合の重要度の相対的な大きさと、他の使用色の誘目度と比べた場合の相対的な誘目度の大きさとの差異を判断するための指標である相対誘目度を算出し、差異が所定値以内かどうかを判定するように構成されていてもよい。このような配色判定装置によれば、各色の目立ちやすさが、重要度の順位と一致しているかどうかだけでなく、重要度の大きさの程度ともある程度一致しているかどうかを判定することができる。
【００９０】
（５）配色判定装置（例えば、配色判定装置２）は、重要度の順位と誘目度の順位とが不一致となる使用色がある場合、重要度の順位と誘目度の順位とが一致するように使用色を変更した配色を示す改善案を作成する改善案作成部（例えば、改善案作成部１５）を備えるように構成されていてもよい。このような配色判定装置によれば、利用者は色やデザインの知識が無くても、画面上の情報の重要度に応じて適切な目立ち方をしていない色に変更が施された改善案を作成することができる。
【００９１】
（６）配色判定装置は、改善案作成部が、重要度の順位と誘目度の順位とが不一致である使用色がある場合、重要度の順位と誘目度の順位とが一致するように使用色を入れ替えた配色を示す改善案を作成するように構成されていてもよい。
【００９２】
（７）配色判定装置は、改善案作成部が、重要度の順位と誘目度の順位とが不一致である使用色がある場合、重要度の順位と誘目度の順位とが一致するように、使用色の色相を変更せず彩度および明度のうち少なくとも一方を調整した配色を示す改善案を作成するように構成されていてもよい。このような配色判定装置によれば、色相を保つことで、色味を保ったまま誘目度の調整を行うことが可能となるため、警告情報には赤系の色を用いる等、色味に意味を持たせているような場合でも適用が可能となる。
【００９３】
この出願は、２０１２年２月２９日に出願された日本出願特願２０１２−４３６３８を基礎とする優先権を主張し、その開示の全てをここに取り込む。
【００９４】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【産業上の利用の可能性】
【００９５】
本発明は、地図の配色の判定に適用することができる。
【符号の説明】
【００９６】
１１  配色情報取得部
１２  誘目度算出部
１３  重要度記憶部
１４  配色妥当性判定部
１５  改善案作成部
１８  入力部
１９  出力部
【図１】
0006052277.tif 000002
【図２】
0006052277.tif 000003
【図３】
0006052277.tif 000004
【図４】
0006052277.tif 000005
【図５】
0006052277.tif 000006
【図６】
0006052277.tif 000007
【図７】
0006052277.tif 000008
【図８】
0006052277.tif 000009
【図９】
0006052277.tif 000010
【図１０】
0006052277.tif 000011
【図１１】
0006052277.tif 000012
【図１２】
0006052277.tif 000013
【図１３】
0006052277.tif 000014
【図１４】
0006052277.tif 000015
【図１５】
0006052277.tif 000016
【図１６】
0006052277.tif 000017
【図１７】
0006052277.tif 000018